(57)【特許請求の範囲】
【請求項１】
一方のコネクタ部及び他方のコネクタ部と、
前記一方のコネクタ部及び前記他方のコネクタ部の間に設けられる短絡部材と、を有するコネクタであって、
前記一方のコネクタ部及び前記他方のコネクタ部は、長手方向に対して直交する方向に突出して設けられる接触部を有する同一形状のコンタクトと、前記コンタクトが収容される雌雄同型のハウジングとをそれぞれ有し、
前記ハウジングの接続方向に対して直交する側の面には、前記短絡部材の一部が嵌り込むように前記ハウジングを窪ませて形成された設置部が形成され、前記設置部が形成された部分からは前記コンタクトの前記接触部が突出されており、
前記コンタクトは、前記一方のコネクタ部に少なくとも１本設けられた場合は、前記他方のコネクタ部に複数設けられ、又は、前記一方のコネクタ部に複数設けられた場合には、前記他方のコネクタ部に少なくとも１本設けられ、
前記一方のコネクタ部及び前記他方のコネクタ部が接続された場合、前記一方のコネクタ部及び前記他方のコネクタ部の前記接触部が突出された前記ハウジングの前記接続方向に対して直交する側の面同士が近接され、前記一方のコネクタ部の前記コンタクトの前記接触部と前記他方のコネクタ部の前記コンタクトの前記接触部との間に前記短絡部材が設けられ、複数の前記コンタクトを短絡させることを特徴とするコネクタ。
【請求項２】
前記ハウジングの接続方向に対して直交する側の面は、上段面と、前記上段面に対して接続方向側であって、前記上段面より低い位置に設けられ、前記設置部が形成された下段面と、前記上段面と前記下段面の間の段差を繋ぐ壁面部とを有し、
前記一方のコネクタ部と前記他方のコネクタ部が接続された場合、前記一方のコネクタ部及び前記他方のコネクタ部のそれぞれの前記ハウジングの前記下段面同士が近接されることを特徴とする請求項１に記載のコネクタ。
【請求項３】
前記設置部は、前記一方のコネクタ部と前記他方のコネクタ部とが接続された場合に、前記短絡部材が前記コンタクトの前記接触部とすべて接触されるような範囲に形成されていることを特徴とする請求項２に記載のコネクタ。
【請求項４】
前記短絡部材は、平面視で四角形状の板状体であることを特徴とする請求項２又は３に記載のコネクタ。
【請求項５】
前記ハウジングは、接続方向に対して両側の幅方向側に、接続された前記一方のコネクタ部と前記他方のコネクタ部が固定されるロック機構を有していることを特徴とする請求項２〜４のいずれかに記載のコネクタ。
【請求項６】
前記ロック機構は、
前記一方のコネクタ部及び他方のコネクタ部のそれぞれの前記ハウジングの前記壁面部の両端側に設けられた係止突起と、前記下段面の接続方向側の両端側であって、接続方向側の面側に設けられた係止部とで構成されており、
前記一方のコネクタ部の前記係止突起と前記他方のコネクタ部の前記係止部とが係止され、且つ、前記他方のコネクタ部の前記係止突起と前記一方のコネクタ部の前記係止部とが係止されることを特徴とする請求項５に記載のコネクタ。
【請求項７】
相手方ハウジング及び相手方コンタクトを有する相手方コネクタ部と接続され、前記相手方ハウジングと雌雄同型のハウジング及び前記相手方コンタクトと同一形状のコンタクトを有するコネクタ部であって、
前記コンタクトは、長手方向に対して直交する方向に突出して設けられる接触部を有し、
前記ハウジングは、当該ハウジングの接続方向に対して直交する側の面に、短絡部材の一部が嵌り込むように前記ハウジングを窪ませて形成された設置部が形成され、前記設置部が形成された部分からは前記コンタクトの前記接触部が突出されており、
前記コンタクトは、前記相手方コネクタ部に少なくとも１本設けられた場合は、複数設けられ、又は、前記相手方コネクタ部に複数設けられた場合には、少なくとも１本設けられ、
前記相手方コネクタ部と接続された場合、前記相手方コネクタ部の前記接触部が突出された前記ハウジングの前記接続方向に対して直交する側の面と、前記接触部が突出した前記ハウジングの前記接続方向に対して直交する側の面とが近接され、前記相手方コンタクトの前記接触部と前記コンタクトの前記接触部と前記相手方コンタクトの対応する部分との間に前記短絡部材が設けられ、複数の前記コンタクトを短絡させることを特徴とするコネクタ部。
【発明の詳細な説明】
【技術分野】
【０００１】
本発明は、複数のコンタクトを短絡させる構造を有すると共に、部品点数を減らし、製造コストや製造の手間を削減したコネクタ及びコネクタ部に関する。
【背景技術】
【０００２】
複数のコンタクトを短絡させたコネクタとして、例えば、下記特許文献１にジョイントコネクタの発明が開示されている。下記特許文献１に開示されたジョイントコネクタの発明は、先端側に相手方接続端子及び短絡部材と接続される接続部が形成され基端側に電線の芯線と接続される電線接続部及び電線を固定保持する電線固定部が形成された複数の接続端子と、前記複数の接続端子を所定配列状態で収容する複数の端子収容室を有するハウジングと、このハウジングに装着され前記複数の端子収容室に収容された前記複数の接続端子間を短絡させる短絡部材とを備え、前記複数の接続端子は、前記接続部が先端が二股に分岐されその分岐部分で前記相手方接続端子及び短絡部材の少なくとも１つを挟持接続するフォーク部が複数形成された構造からなり、前記ハウジングは、前記複数の端子収容室における前記接続端子の接続部収容部分がそれぞれ前記複数のフォーク部を収容する接続部収容室を形成し、且つ各接続部収容室同士を連通する連通空間部が形成されたものであり、前記短絡部材は、前記連通空間部に収容される本体部と、この本体部から延びて所定のフォーク部の分岐部分に挿入される挿入部とを備えてなることを特徴としている。
【先行技術文献】
【特許文献】
【０００３】
【特許文献１】特開２００５−１２３１００号公報
【発明の概要】
【発明が解決しようとする課題】
【０００４】
上記特許文献１に開示されたジョイントコネクタでは、ハウジング及び接続端子と相手方コネクタを構成する相手方のハウジング及び相手方接続端子はそれぞれ異なる形状で形成されている。そのため、ジョイントコネクタのハウジング及び相手方コネクタのハウジングを形成するためには、それぞれ異なる金型を必要とし、また、ジョイントコネクタの接続端子及び相手方コネクタの相手方接続端子の形成も異なる製造工程を必要としており、部品点数が多くなると共に、製造コストが高くなるという課題がある。
【０００５】
本発明の目的は、一方のコネクタと他方のコネクタを構成するそれぞれのハウジング及びコンタクトを共通の構造とすると共に、それぞれのハウジングに複数のコンタクトを短絡させる短絡部材を設けることができる構成とすることで、部品点数を減らし、製造コストや製造の手間を削減した、短絡仕様のコネクタを提供することにある。
【０００６】
また、本発明の他の目的は、相手方コネクタ部を構成する相手方ハウジング及び相手方コンタクトと雌雄同型のハウジング及びコンタクトを有すると共に、複数のコンタクトを短絡させる短絡部材を設けることができる構成とすることで、部品点数を減らすことができ、短絡仕様とすることができるコネクタ部を提供することにある。
【課題を解決するための手段】
【０００７】
上記課題を解決するために、本発明の第１の態様のコネクタは、一方のコネクタ部及び他方のコネクタ部と、
前記一方のコネクタ部及び前記他方のコネクタ部の間に設けられる短絡部材と、を有するコネクタであって、
前記一方のコネクタ部及び前記他方のコネクタ部は、長手方向に対して直交する方向に突出して設けられる接触部を有する同一形状のコンタクトと、前記コンタクトが収容される雌雄同型のハウジングとをそれぞれ有し、
前記ハウジングの接続方向に対して直交する側の面には、前記短絡部材の一部が嵌り込むように前記ハウジングを窪ませて形成された設置部が形成され、前記設置部が形成された部分からは前記コンタクトの前記接触部が突出されており、
前記コンタクトは、前記一方のコネクタ部に少なくとも１本設けられた場合は、前記他方のコネクタ部に複数設けられ、又は、前記一方のコネクタ部に複数設けられた場合には、前記他方のコネクタ部に少なくとも１本設けられ、
前記一方のコネクタ部及び前記他方のコネクタ部が接続された場合、前記一方のコネクタ部及び前記他方のコネクタ部の前記接触部が突出された前記ハウジングの前記接続方向に対して直交する側の面同士が近接され、前記一方のコネクタ部の前記コンタクトの前記接触部と前記他方のコネクタ部の前記コンタクトの前記接触部との間に前記短絡部材が設けられ、複数の前記コンタクトを短絡させることを特徴とする。
【０００９】
また、本発明の第２の態様のコネクタは、第１の態様のコネクタにおいて、前記ハウジングの接続方向に対して直交する側の面は、上段面と、前記上段面に対して接続方向側であって、前記上段面より低い位置に設けられ、前記設置部が形成された下段面と、前記上段面と前記下段面の間の段差を繋ぐ壁面部とを有し、
前記一方のコネクタ部と前記他方のコネクタ部が接続された場合、前記一方のコネクタ部及び前記他方のコネクタ部のそれぞれの前記ハウジングの前記下段面同士が近接されることを特徴とする。
【００１１】
また、本発明の第３の態様のコネクタは、第２の態様のコネクタにおいて、前記設置部は、前記一方のコネクタ部と前記他方のコネクタ部とが接続された場合に、前記短絡部材が前記コンタクトの前記接触部とすべて接触されるような範囲に形成されていることを特徴とする。
【００１２】
また、本発明の第４の態様のコネクタは、第２又は第３いずれかの態様のコネクタにおいて、前記短絡部材は、平面視で四角形状の板状体であることを特徴とする。
【００１３】
また、本発明の第７の態様のコネクタは、第２〜第４いずれかの態様のコネクタにおいて、前記ハウジングは、接続方向に対して両側の幅方向側に、接続された前記一方のコネクタ部と前記他方のコネクタ部が固定されるロック機構を有していることを特徴とする。
【００１４】
また、本発明の第６の態様のコネクタは、第５の態様のコネクタにおいて、前記ロック機構は、
前記一方のコネクタ部及び他方のコネクタ部のそれぞれの前記ハウジングの前記壁面部の両端側に設けられた係止突起と、前記下段面の接続方向側の両端側であって、接続方向側の面側に設けられた係止部とで構成されており、
前記一方のコネクタ部の前記係止突起と前記他方のコネクタ部の前記係止部とが係止され、且つ、前記他方のコネクタ部の前記係止突起と前記一方のコネクタ部の前記係止部とが係止されることを特徴とする。
【００１５】
また、本発明のコネクタ部は、相手方ハウジング及び相手方コンタクトを有する相手方コネクタ部と接続され、前記相手方ハウジングと雌雄同型のハウジング及び前記相手方コンタクトと同一形状のコンタクトを有するコネクタ部であって、
前記コンタクトは、長手方向に対して直交する方向に突出して設けられる接触部を有し、
前記ハウジングは、当該ハウジングの接続方向に対して直交する側の面に、短絡部材の一部が嵌り込むように前記ハウジングを窪ませて形成された設置部が形成され、前記設置部が形成された部分からは前記コンタクトの前記接触部が突出されており、
前記コンタクトは、前記相手方コネクタ部に少なくとも１本設けられた場合は、複数設けられ、又は、前記相手方コネクタ部に複数設けられた場合には、少なくとも１本設けられ、
前記相手方コネクタ部と接続された場合、前記相手方コネクタ部の前記接触部が突出された前記ハウジングの前記接続方向に対して直交する側の面と、前記接触部が突出した前記ハウジングの前記接続方向に対して直交する側の面とが近接され、前記相手方コンタクトの前記接触部と前記コンタクトの前記接触部と前記相手方コンタクトの対応する部分との間に前記短絡部材が設けられ、複数の前記コンタクトを短絡させることを特徴とする。
【発明の効果】
【００１６】
第１の態様のコネクタによれば、一方のコネクタ部及び他方のコネクタ部が同じ構造のコンタクト及びハウジングで形成されているため、ハウジング及びコンタクトをそれぞれ一種類ずつ製造することで部品点数を削減でき、製造コストや製造の手間を減らすことができる。また、短絡部材は、一方のコネクタ部及び他方のコネクタ部が接続される際に内蔵されるため、外れることが抑制され短絡の性能を維持することができる。さらに、一方のコネクタ部又は他方のコネクタ部に短絡部材を組み込む必要がないので、組み立ての工程が簡単になる。
また、一方のコネクタ部と他方のコネクタ部の接続方向に対して直交する側の面同士を近接させて接続させるため、それぞれのハウジングの深い位置で接続されることで小型化を図ることができる。
また、ハウジングを窪ませて短絡部材の一部が嵌り込むようにされていることで、一方のコネクタ部と他方のコネクタ部を接続させる場合に、短絡部材の移動が抑制され円滑に行なうことができる。
【００１８】
また、第２の態様のコネクタによれば、ハウジングが上段面と下段面の２段となり、この下段面同士を近接させて一方のコネクタ部と他方のコネクタ部を接続させるので、より小型化を図ることができる。
【００２０】
また、第３の態様のコネクタによれば、短絡部材が設けられる設置部を、すべてのコンタクトを短絡させることができる範囲に形成することができる。
【００２１】
また、第４の態様のコネクタによれば、短絡部材の構造を簡単にすることができ、製造が容易となる。
【００２２】
第５の態様のコネクタによれば、それぞれのハウジングにロック機構が設けられていることで、接続された一方及び他方のコネクタ部の固定を容易に行なうことができる。
【００２３】
また、第６の態様のコネクタによれば、ロック機構は、一方のコネクタ部及び他方のコネクタ部のそれぞれのハウジングの壁面部の両側の係止突起と、他方のコネクタ部及び一方のコネクタ部のそれぞれのハウジングの下段面の接続方向側の両端側の接続部とが係止されて固定されるように構成されており、合計４箇所で固定されることで、確実に固定を維持することができる。
【００２４】
本発明のコネクタ部によれば、相手方コネクタ部と同じ構造のコンタクト及びハウジングで構成されているため、ハウジング及びコンタクトをそれぞれ一種類ずつ製造することで部品点数を削減でき、製造コストや製造の手間を減らすことができる。また、短絡部材は、相手方コネクタ部と接続される際に内蔵されるため、外れることが抑制され短絡の性能を維持することができる。さらに、短絡部材を組み込む必要がないので、組み立ての工程が簡単になる。
【図面の簡単な説明】
【００２５】
【図１】図１Ａは実施形態に係るコネクタの一方のコネクタと他方のコネクタを接続させる前の状態を示す斜視図であり、図１Ｂは一方のコネクタと他方のコネクタを接続した状態を示す斜視図である。
【図２】図２Ａは実施形態の短絡部材を設けた一方のコネクタと他方のコネクタを接続させる前の状態を示す平面図であり、図２Ｂは図２Ａの状態を一方から見た側面図であり、図２Ｃは一方のコネクタと他方のコネクタを接続した状態を示す平面図であり、図２Ｄは図２Ｃの状態を一方から見た側面図である。
【図３】図３Ａは実施形態に係る一方のコネクタに短絡部材を設けた状態を示す斜視図であり、図３Ｂは一方のコネクタ及び短絡部材の分解図である。
【図４】図４Ａは実施形態に係る他方のコネクタを示す斜視図であり、図４Ｂは他方のコネクタの分解図である。
【図５】図５Ａは実施形態に係るコンタクトを示す一方から見た側面図であり、図５Ｂは平面図であり、図５Ｃは底面図であり、図５Ｄは背面図であり、図５Ｅは正面図である。
【図６】図６Ａは実施形態に係るハウジングを示す一方から見た側面図であり、図６Ｂは平面図であり、図６Ｃは底面図であり、図６Ｄは背面図であり、図６Ｅは正面図である。
【図７】図７Ａは図６ＡのVIIA部の拡大図であり、図７Ｂは図６ＢのVIIB部の拡大図であり、図７Ｃは図６ＥのVIIC部の拡大図である。
【図８】図８Ａは図２ＡのVIIIA−VIIIA線での断面図であり、図８Ｂは図２ＣのVIIIB−VIIIB線での断面図である。
【図９】図９Ａは一方のコネクタへ短絡部材を設けた状態を説明する図２Ａに対応する平面図であり、図９Ｂは図８Ａに対応する断面図である。
【図１０】図１０Ａは図２ＡのXA−XA線での断面図であり、図１０Ｂは図２ＣのXB−XB線での断面図である。
【図１１】図１１Ａは他の例を示す一方のコネクタと他方のコネクタの接続させる前の状態を示す斜視図であり、図１１Ｂは一方のコネクタと他方のコネクタを接続させた状態を示す斜視図である。
【発明を実施するための形態】
【００２６】
以下、図面を参照して本発明の実施形態を説明する。但し、以下に示す実施形態は、本発明の技術思想を具体化するためのコネクタを例示するものであって、本発明をこれに特定することを意図するものではなく、特許請求の範囲に含まれるその他の実施形態のものにも等しく適応し得るものである。
【００２７】
［実施形態］
図１〜図１０を参照して、実施形態に係るコネクタ１０について説明する。本発明の実施形態に係るコネクタ１０は、図１Ａ及び図１Ｂに示すように、一方のコネクタ部１１、他方のコネクタ部１１Ａ、及び一方のコネクタ部１１及び他方のコネクタ部１１Ａの間に設けられる短絡部材５７とで構成されており、これらのコネクタ部１１、１１Ａの間に短絡部材５７が挟まれた状態で接続されて形成される。このとき、接続された一方のコネクタ部１１及び他方のコネクタ部１１Ａは、各ハウジング２９、２９Ａに形成されたロック機構５６（図１０参照）により固定されるようになっている。
【００２８】
また、実施形態のコネクタ１０を構成する一方のコネクタ部１１と他方のコネクタ部１１Ａは、同じ形状で形成されたいわゆる雌雄同型のハウジング２９、２９Ａと、同一形状のコンタクト１２、１２Ａとでそれぞれ構成されている。そのため、一方のコネクタ１０側のハウジング２９及びコンタクト１２を左右及び上下を反転させると、他方のコネクタ部１１Ａ側のハウジング２９Ａ及びコンタクト１２Ａとなる。なお、実施形態では、一方のコネクタ部１１側のコンタクト１２の本数に比べ、他方のコネクタ部１１Ａ側のコンタクト１２Ａの本数の方が多くなっている。
【００２９】
また、一方のコネクタ部１１及び他方のコネクタ部１１Ａを接続させる場合において、短絡部材５７は、一方のコネクタ部１１及び他方のコネクタのいずれかのハウジングのうち、後述する短絡部材５７が設けられる設置部３４が重力方向とは反対側の上方を向いている方に設けられている。そのため、実施形態では、図２Ａ、図２Ｂに示すように、設置部３４が上方を向いている一方のコネクタ部１１側に短絡部材５７が設けられ、それぞれのコネクタ部１１、１１Ａの接続が行なわれる（図２Ｃ、図２Ｄ参照）。
【００３０】
以下、実施形態のコネクタ１０の各構成について説明する。なお、説明において使用される他方のコネクタ部１１Ａの記載については、一方のコネクタ部１１の説明に用いた各符号の後に「Ａ」を加えた符号を付している。
【００３１】
一方のコネクタ部１１は、図３に示すように、例えば、電線２８が接続された一本のコンタクト１２と、このコンタクト１２が収容され、装着されるハウジング２９とで構成されている。また、ハウジング２９には、一方のコネクタ部１１と他方のコネクタ部１１Ａを接続させた際に、接続が固定されるロック機構５６を構成する部分が設けられている。このロック機構５６は、一方のコネクタ部１１のハウジング２９と他方のコネクタ部１１Ａのハウジング２９Ａのそれぞれに形成された各部分を組み合わせることで、固定されるようになっている（図１０参照）。ロック機構の詳細については後述する。なお、実施形態では、コンタクト１２は、一方のコネクタ部１１のハウジング２９の端に装着されているが、その位置は任意の位置とすることができる。また、一方のコネクタ部１１側には、短絡部材５７が設けられている。
【００３２】
他方のコネクタ部１１Ａは、図４に示すように、電線２８Ａが接続された複数のコンタクト１２Ａ、例えば、４本のコンタクト１２Ａと、これらのコンタクト１２Ａが収容され、装着されるハウジング２９Ａとで構成されている。なお、他方のコネクタ部１１Ａを構成するハウジング２Ａ及びコンタクト１２Ａの構造は、一方のコネクタ部１１を構成するハウジング２９及びコンタクト１２と共通する。
【００３３】
以下、各構成部品について説明する。なお、一方のコネクタ部１１及び他方のコネクタ部１１Ａを構成するコンタクト１２、１２Ａ及びハウジング２９、２９Ａはそれぞれ同じ構造となっているので、各構成部品については一方のコネクタ部１１側を代表して説明する。
【００３４】
まず、コンタクト１２について説明する。コンタクト１２は、図５及び図８に示すように、所定の長さを有するコンタクト本体１３と、短絡部材５７と接触される接触部２２と、接触部２２とは反対側であって電線２８が接続される接続部２５とで構成されており、金属製の板状体を打ち抜き、折り曲げ加工等することで形成されている。
【００３５】
コンタクト本体１３は、所定の長さを有し、底部１４と、底部１４の長手方向に沿った両端辺を屈曲して立設された一方の側部１６及び他方の側部１７と、一方の側部１６の底部１４とは反対側の端部が屈曲され、底部１４と対向するように設けられた上部１８と、を有する略四角形状の筒状体で形成されている。
【００３６】
コンタクト本体１３の底部１４は、底部１４の中間から接続部２５の間に開口された部分を有しており、この開口された部分がハウジング２９のコンタクト収容部５４に収容された際に位置決め固定される固定孔１５となっている。
【００３７】
コンタクト本体１３の一方の側部１６及び他方の側部１７は、所定の高さで立設されており、一方の側部１６及び他方の側部１７で挟まれた内側を後述する接触部２２の接触片２３が移動できるようになっている。
【００３８】
また、コンタクト本体１３の上部１８は、接続部２５側と接続部２５とは反対側の先端２７側に設けられており、その間の部分には開放された開口部２０が設けられている。
【００３９】
先端２７側の上部１８ａは、長手方向の略中心線上でさらに底部１４側とは反対側に屈曲されて延設された突起部１９が形成されている。また、接続部２５側の上部１８ｂには、開口部２０側に、後述する接触片２３の端部２４を引っ掛ける、引っ掛け部２１が形成されている。
【００４０】
接触部２２は、コンタクト本体１３の長手方向に対して直交する方向に突出して形成された接触片２３を有している。この接触片２３は、コンタクト本体１３の先端２７の底部１４側の端部から延設された金属片を屈曲させて先端２７側を軸として弾性変形できるように形成されている。また、接触片２３は、上部１８の開口部２０から突出されるような山型に形成され、さらに、接触片２３の端部２４は、コンタクト本体１３の接続部２５側の上部１８ｂに形成された引っ掛け部２１に底部１４側から引っ掛けられている。なお、接触片２３は山型に形成された接触面２３ａを有し、この接触面２３ａが短絡部材５７と接触されるようになる。そのため、接触片２３は上方から下方に押圧されることで弾性変形が可能となり、弾性変形された場合は、上方へ押圧する押圧力を有するようにされている。また、接触片２３の端部２４が引っ掛け部２１に引っ掛けられることで、接触片２３が上方への移動が規制されている。
【００４１】
接続部２５は、電線２８と接続される部分であり、電線２８と接続するための接続片２６が形成されている。電線２８との接続は、接続部２５に置かれた電線２８に対して、各接続片２６をそれぞれ電線側に屈曲させて電線２８を挟み込むようにして行なわれる。このとき、接続片２６は、電線２８の導電部と接続されることで電気的な接続が行なわれる。
【００４２】
次に、ハウジング２９について説明する。ハウジング２９は、図３、図６及び図７に示すように、上段面３１、及びこの上段面３１より低い位置になるように切り欠かれた下段面３２と、上段面３１と下段面３２の段差部分の壁面部３３と、で構成された上面３０と、上面３０と対向する底面４３と、他方のコネクタ部１１Ａと接続する方向側の前面４４と、前面４４の反対側であって複数のコンタクト１２が挿入される複数の挿入口４９が形成された後面４８と、一方の側面５２及び他方の側面５３を有する略直方体状で形成されている。また、ハウジング２９の内部には、複数のコンタクト１２が収容されて装着される複数のコンタクト収容部５４がハウジング２９の接続方向に沿って形成されている。また、複数のコンタクト収容部５４はハウジング２９の幅方向に並んで設けられている。
【００４３】
ハウジング２９の上面３０は、他方のコネクタ部１１Ａのハウジング２９Ａと接する側の面であり、後面４８側の上段面３１と、他方のコネクタ部１１Ａと接続される方向側の前面４４側であって、この上段面３１より一段下がった低い位置に形成された下段面３２と、上段面３１と下段面３２の段差部分の垂直な壁面部３３とで構成されており、２段の面となるように形成されている。
【００４４】
上面３０の上段面３１は、平坦に形成されており、後面４８側の幅の狭い部分と、前面４４側の幅の広い部分とを有している。
【００４５】
また、下段面３２は、他方のコネクタ部１１Ａと接続される際に、他方のコネクタ部１１Ａのハウジング２９Ａの下段面３２Ａと近接する面となる（図１、図２及び図８参照）。下段面３２は、接続方向に対して両側の幅方向側、すなわち一方の側面５２側及び他方の側面５３側に至るまで上段面３１から一段下がった低い位置となるように形成されている。また、下段面３２は、ハウジング２９の内部のコンタクト収容部５４が露出されており、この露出されたコンタクト収容部５４と連通される複数の開口４０を有し、これらの開口４０からは、収容されたコンタクト１２の接触部２２が突出されるようになる。
【００４６】
また、下段面３２には、短絡部材５７が設けられる設置部３４が形成されている。設置部３４は、下段面３２を窪ませて、所定の深さ、例えば、短絡部材５７の厚さの略半分の深さ（図９Ｂ参照）となるように形成される。この設置部３４が形成される窪ませた範囲は、ハウジング２９の接続方向側においては、壁面部３３と開口４０から接触部２２が突出される部分との間から、接続方向側の面としての前面４４に至るまでの範囲となり、ハウジング２９の接続方向に対して両側に向かう幅方向側においては、複数の開口４０のうち、両外側の開口４０を越え、後述する溝４１との間までの範囲となっている。そして、これらの範囲を窪ませた四角形状の部分が設置部３４となっている（図３、図６及び図９参照）。
【００４７】
また、設置部３４の前面４４側には開放された開放部３５を有しており、その両端側は面取りがされている。また、接続方向に対して両側の設置部３４と下段面３２との間の立設した側壁は、短絡部材５７が設けられる際に、短絡部材５７の移動を案内する案内部３６となっている。さらに、壁面部３３側の設置部３４と下段面３２との間の立設した側壁は、短絡部材５７が設けられた際に、移動が規制される規制部３７となっている。なお、規制部３７は、設置部３４の両端に形成されている。
【００４８】
また、上段面３１と下段面３２との段差部分の壁面部３３は、垂直に形成され、後述する他方のコネクタ部１１Ａ側のハウジング２９Ａの前面４４Ａの当接部４７Ａが当接される部分となっている（図８参照）。この壁面部３３の両側の幅方向側、すなわち、一方の側面５２側及び他方の側面５３側には、ハウジング２９の接続方向側である前面４４側に向かうように突出した直方体状の嵌合突起３８が下段面３２との間に隙間Ｇを有するようにそれぞれ形成されている。なお、嵌合突起３８の壁面部３３とは反対側の接続方向側の各辺は、面取りがされている。また、嵌合突起３８の下段面３２側には、下段面３２に向かうように突出された係止突起３９がそれぞれ形成されている。この係止突起３９は、嵌合突起３８の接続方向側に形成されており、係止突起３９の接続方向側は、面取りがされており、壁面部３３側は、面取りがされておらず直角となっている。
【００４９】
また、下段面３２の接続方向側であって、接続方向に対して両側の幅方向側、すなわち一方の側面５２側及び他方の側面５３側には、接続方向に沿った溝４１が形成されている。なお、この溝４１は、後述する嵌合孔４５と繋がっている。そして、溝４１の前面４４側には、この前面４４側の溝４１が閉じられた部分４２ｂを有し、この溝４１を囲うように、「コ」の字状の枠体４２ａで形成された係止部４２がそれぞれ形成されている。また、この係止部４２は、後述する嵌合孔４５を覆うように形成されている。さらに、この係止部４２は、枠体４２ａの閉じられた部分４２ｂとは反対側を軸に弾性変形可能とされている。なお、この係止部４２は、係止部４２を構成する枠体４２ａの閉じられた部分４２ｂに嵌合突起３８に形成された係止突起３９が係止される部分となる。
【００５０】
ハウジング２９の底面４３は、コンタクト収容部５４が形成されている部分と、形成されていない部分とで段差を有し、コンタクト収容部５４が形成されていない部分が一段低くなるようにされている。
【００５１】
ハウジング２９の前面４４は、ハウジング２９の内部のコンタクト収容部５４と連通する複数の孔４６が形成されており、この孔４６の上面３０側が他方のコネクタ部１１Ａのハウジング２９Ａの壁面部３３Ａと当接される当接部４７となっている。なお、当接部４７の下段面３２側には設置部３４の開放部３５が形成されている。また、前面４４の一方の側面５２側及び他方の側面５３側であって、下段面３２に形成された係止部４２の底面４３側には、嵌合孔４５がハウジング２９の内部に向かってそれぞれ形成されている。なお、この嵌合孔４５は、上面３０の壁面部３３に形成された嵌合突起３８と嵌合される部分となる。また、嵌合孔４５は下段面３２に形成された溝４１と繋がっており、さらに、下段面３２に形成された係止部４２は、この嵌合孔４５を覆うように設けられている。
【００５２】
ハウジング２９の後面４８は、複数のコンタクト１２が挿入される複数の挿入口４９が形成されている。また、この挿入口４９には、上面３０側の一部が狭くなるように形成された狭小部５０が設けられている。この狭小部５０は、コンタクト１２を挿入させる際に、コンタクト１２の先端２７側に形成された突起部１９を通過させるようにすることで、コンタクト１２の向きを正しくすることができる。なお、後面４８のコンタクト収容部５４が形成されていない部分には、貫通孔５１がそれぞれ形成されている。
【００５３】
一方の側面５２及び他方の側面５３は、上面３０に上段面３１、下段面３２及び壁面部３３が形成されることに応じて、壁面部３３を境に後面４８側に比べて前面４４側が一段低くなるように形成されている。
【００５４】
また、ハウジング２９の内部に形成されたコンタクト収容部５４は、図８に示すように、ハウジング２９の接続方向に沿ってそれぞれ形成され、コンタクト１２の全体が収容されるようになっている。また、コンタクト収容部５４の底面４３側には、コンタクト１２を位置決め固定するための固定片５５がそれぞれ形成されている。このコンタクト収容部５４に形成された固定片５５がコンタクト１２に形成された固定孔１５に嵌まり込むことで、コンタクト１２が固定されると共に、抜け止めされるようになる。
【００５５】
短絡部材５７は、図３Ｂに示すように、金属製の平坦な板状体で形成されており、平面視で矩形状の平面部５８、５９と、細長い側面側であって、長尺の長手側面部６０、６１と、短尺の短手側面部６２、６３と、を有する直方体となっている。また、短絡部材５７は、各辺がそれぞれ面取りされている。
【００５６】
次に、主に図３及び図８を参照して、一方のコネクタ部１１の組立てについて説明する。一方のコネクタ部１１の組立ては、まず、コンタクト１２に電線を接続させ、コンタクト１２の先端２７側からハウジング２９の後面４８に形成された挿入口４９にコンタクト１２を挿入させる。コンタクト１２の挿入は、コンタクト１２の接続部２５とは反対側の先端２７側に形成された突起部１９が挿入口４９に形成された狭小部５０を通過するように向きを合わせて行なわれる。そして、挿入口４９から挿入したコンタクト１２をハウジング２９内のコンタクト収容部５４まで押し込み、コンタクト収容部５４に装着させる。
【００５７】
このとき、コンタクト収容部５４に押し込まれたコンタクト１２は、コンタクト１２の底部１４に形成された固定孔１５にコンタクト収容部５４の底面４３側に形成された固定片５５が嵌り込むことで位置決め固定され、装着される。このとき、固定片５５は、コンタクト１２の底部１４の先端２７側に押されることで弾性変形してコンタクト１２の底部１４を摺動し、その後、固定片５５が固定孔１５に嵌り込むことで、弾性力が開放され、固定孔１５と固定片５５が係合され、コンタクト１２の抜け止めがされる。
【００５８】
なお、他方のコネクタ部１１Ａの組立ては、一方のコネクタ部１１の組立てと比べ、装着されるコンタクト１２Ａの本数が異なるのみであり（図４参照）、そのコンタクト１２Ａを装着させる工程は、上記の組立てと共通するので詳細な説明は省略する。
【００５９】
次に、主に、図１、図２、図８〜図１０を参照して、一方のコネクタ部１１と他方のコネクタ部１１Ａの接続について説明する。一方のコネクタ部１１と他方のコネクタ部１１Ａの接続は、まず、図１Ａ、図２Ａ、図２Ｂ及び図８Ａに示すように、他方のコネクタ部１１Ａを一方のコネクタ部１１に対して、上下及び左右を反転した状態、すなわち、一方のコネクタ部１１のハウジング２９及び他方のコネクタ部１１Ａのハウジング２９Ａの接続方向側となる各前面４４、４４Ａを向かい合わせ、且つ、一方のコネクタ部１１に対して、他方のコネクタ部１１Ａの上面３０Ａと底面４３Ａの位置が一方のコネクタ部１１と反対となるように配置される。
【００６０】
次に、一方のコネクタ部１１のハウジング２９の設置部３４に短絡部材５７を設ける。このとき、設置部３４に短絡部材５７が設けられることで、ハウジング２９の下段面３２の開口４０から突出されたコンタクト１２の接触片２３が押圧されて弾性変形し、この変形に応じて発生した弾性力により接触片２３の接触面２３ａが短絡部材５７の平面部５９を押圧して接触されるようになる。なお、ハウジング２９の設置部３４に設けられた短絡部材５７は、短手側面部６２、６３が設置部３４の両側の案内部３６に案内されるように設置部３４上を移動し、規制部３７に到達すると短絡部材５７の長手側面部６１が当接し、移動が規制される。
【００６１】
次に、向かい合わせた状態の一方のコネクタ部１１及び他方のコネクタ部１１Ａの各上面３０、３０Ａの各下段面３２、３２Ａを近接させ、一方のコネクタ部１１の前面４４の当接部４７と他方のコネクタ部１１Ａの上面３０Ａの壁面部３３Ａ、及び他方のコネクタ部１１Ａの前面４４Ａの当接部４７Ａと一方のコネクタ部１１の上面３０の壁面部３３とがそれぞれ当接するまで移動される（図１Ｂ、図２Ｃ、図２Ｄ及び図８Ｂ参照）。
【００６２】
このとき、一方のコネクタ部１１と他方のコネクタ部１１Ａが接続方向に移動される際に、一方のコネクタ部１１に形成された嵌合突起３８が他方のコネクタ部１１Ａに形成された嵌合孔４５Ａに嵌合され、他方のコネクタ部１１Ａに形成された嵌合突起３８Ａが一方のコネクタ部１１に形成された嵌合孔４５に嵌合されるようになる。そして、この嵌合突起３８、３８Ａが嵌合孔４５、４５Ａにそれぞれ嵌合されることで、一方のコネクタ部１１及び他方のコネクタ部１１Ａの接続の際の移動が案内され、円滑に接続を行なうことができるようになる（図１０参照）。
【００６３】
また、一方のコネクタ部１１と他方のコネクタ部１１Ａの各下段面３２、３２Ａが近接することで、一方のコネクタ部１１の下段面３２の設置部３４に設けられた短絡部材５７と、他方のコネクタ部１１Ａの上面３０Ａの下段面３２Ａから突出した複数のコンタクト１２Ａの接触部２２Ａとが接触される。その際、他方のコネクタ部１１Ａのコンタクト１２Ａの接触部２２Ａを構成する接触片２３Ａがそれぞれ弾性変形し、接触面２３Ａａが弾性力により押圧されて短絡部材５７と接触し、複数のコンタクト１２Ａが短絡するようになる。
【００６４】
なお、一方のコネクタ部１１に他方のコネクタ部１１Ａが接続される際に、一方のコネクタ部１１側のハウジング２９の設置部３４に設けられた短絡部材５７は、他方のコネクタ部１１Ａ側のハウジング２９Ａの設置部３４に挿入されるようになる。すなわち、他方のコネクタ部１１Ａのハウジング２９Ａの設置部３４Ａの前面４４Ａ側の開放部３５Ａから短絡部材５７が入り込み、その後、設置部３４Ａの両側の案内部３６Ａに沿って短絡部材５７が移動される。そして、短絡部材５７が他方のコネクタ部１１Ａの設置部３４Ａの規制部３７Ａに当接するように移動され、他方のコネクタ部１１Ａに短絡部材５７が設けられるようになる。このとき、一方のコネクタ部１１側のハウジング２９の設置部３４の規制部３７と他方のコネクタ部１１Ａ側のハウジング２９Ａの設置部３４Ａの規制部３７Ａとの間に短絡部材５７が嵌り込み、それぞれの規制部３７、３７Ａに挟まれることで、短絡部材５７の移動が規制されるようになる。
【００６５】
また、図９Ａ及び図９Ｂに示すように、一方のコネクタ部１１側のハウジング２９の下段面３２において、壁面部３３と前面４４との間の長さをＬとし、壁面部３３と規制部３７の間の長さをＸとし、規制部３７に当接したときの短絡部材５７の短手方向の長さ（長手側面部６０と長手側面部６１の間の長さ）をＹとし、短絡部材５７の規制部３７に当接された面である長手側面部６１の反対側の面である長手側面部６０からハウジング２９の前面４４までの長さをＺとしたとき、Ｌ＝Ｘ＋Ｙ＋Ｚとなるように構成されることが好ましい。このとき、Ｘ＝Ｚとなるようにするとより好ましい。なお、一方のコネクタ部１１のハウジング２９と他方のコネクタ部１１Ａのハウジング２９Ａは雌雄同型であり、短絡部材５７は、共通の部材であるので、他方のコネクタ部１１Ａのハウジング２９Ａも同様の構成で形成されるようになる。このような構成とすることで、一方のコネクタ部１１と他方のコネクタ部１１Ａが隙間なく接続することができるので、コネクタ１０の小型化を図ることができる。
【００６６】
さらに、短絡部材５７は、図９Ｂに示すように、一方のコネクタ部１１側のハウジング２９の設置部３４の窪みと他方のコネクタ部１１Ａのハウジング２９Ａの設置部３４の窪みの間に挟まれて設けられる。そのため、短絡部材５７の厚さをＴとし、一方のコネクタ部１１側のハウジング２９の設置部３４の窪みの深さをＤとしたとき、Ｄ＝Ｔ／２、すなわち、設置部３４の窪みの深さは、短絡部材５７の厚さの半分となるように構成されることが好ましい。また、一方のコネクタ部１１側のハウジング２９と他方のコネクタ部１１Ａ側のハウジング２９Ａは雌雄同型であるので、設置部３４の窪みの深さはＤとなる。このように構成することで、短絡部材５７が隙間なくそれぞれのハウジング２９、２９Ａの設置部３４、３４Ａに入り込むので、さらに小型化を図ることができる。
【００６７】
その後、一方のコネクタ部１１と他方のコネクタ部１１Ａを接続方向に移動させ、一方のコネクタ部１１のハウジング２９の前面４４の当接部４７と他方のコネクタ部１１Ａのハウジング２９Ａの壁面部３３Ａが当接され、また、他方のコネクタ部１１Ａのハウジング２９Ａの前面４４Ａの当接部４７Ａと一方のコネクタ部１１のハウジング２９の壁面部３３が当接されと、一方のコネクタ部１１と他方のコネクタ部１１Ａとが接続され、ロック機構５６により接続が固定される。
【００６８】
このロック機構５６による接続の固定は、図１０に示すように、一方のコネクタ部１１のハウジング２９の各嵌合突起３８に形成された係止突起３９と、他方のコネクタ部１１Ａのハウジング２９Ａの下段面３２Ａの各嵌合孔４５Ａを覆うように形成された係止部４２Ａが係止され、また、他方のコネクタ部１１Ａのハウジング２９Ａの各嵌合突起３８Ａの形成された各係止突起３９Ａと、一方のコネクタ部１１のハウジング２９の下段面３２の各嵌合孔４５を覆うように形成された各係止部４２がそれぞれ係止されることにより行なわれる。以上により、一方のコネクタ部１１と他方のコネクタ部１１Ａの接続が完了する。
【００６９】
このように、実施形態のロック機構５６は、一方のコネクタ部１１側のハウジング２９に形成された２つの嵌合突起３８と、他方のコネクタ部１１Ａ側のハウジング２９Ａに形成された２つの係止部４２Ａ、及び他方のコネクタ部１１Ａ側のハウジング２９Ａに形成された２つの係止突起３９Ａと、一方のコネクタ部１１側のハウジング２９に形成された２つの係止部４２とがそれぞれ係止されることで、一方のコネクタと他方のコネクタの接続が４箇所で固定されるようになり、確実に固定を維持することができる。
【００７０】
また、各係止突起３９、３９Ａは各嵌合突起３８、３８Ａに、各係止部４２、４２Ａは嵌合孔４５、４５Ａを覆うようにそれぞれ形成されているので、嵌合突起３８、３８Ａと嵌合孔４５、４５Ａの嵌合と、係止突起３９、３９Ａと係止部４２、４２Ａの係止を同一工程で行なうことができる。
【００７１】
また、一方のコネクタ部１１及び他方のコネクタ部１１Ａは、各嵌合突起３８、３８Ａが嵌合孔４５、４５Ａに嵌合されることで、各ハウジング２９、２９Ａの下段面３２、３２Ａが近接し、各コネクタが離れる方向に移動することが規制されるため、各コンタクト１２の接触片２３は、互いの弾性力によりそれぞれ押圧し合い、確実に接触が行なわれる。
【００７２】
また、一方のコネクタ部１１と他方のコネクタ部１１Ａは、それぞれのハウジング２９、２９Ａ、及びそれぞれに装着されるコンタクト１２、１２Ａが同じ形状で形成された雌雄同型のコネクタで構成されているので、製造される部品点数を削減することができる。
【００７３】
なお、実施形態では、一方のコネクタ部１１側に短絡部材５７を設けた場合を示したが、これに限らず、他方のコネクタ部１１Ａ側に短絡部材５７を設けるようにして接続を行なってもよい。すなわち、図１１に示すように、他方のコネクタ部１１Ａのハウジング２９Ａの上面が重力方向に対して反対側の上方を向いている場合、短絡部材５７を他方のコネクタ部１１Ａ側に設けて、一方のコネクタ部１１と接続が行なわれる。なお、各コネクタ部１１、１１Ａの組立て、及び一方のコネクタ部１１と他方のコネクタ部１１Ａの接続については、実施形態と共通するので詳細な説明は省略する。
【００７４】
なお、一方のコネクタ部がコネクタ部と対応し、他方のコネクタ部が相手方コネクタ部と対応する。
【符号の説明】
【００７５】
１０：コネクタ  １１：一方のコネクタ部  １１Ａ：他方のコネクタ部  １２、１２Ａ：コンタクト  １３：コンタクト本体  １４：底部  １５：固定孔  １６：一方の側部  １７：他方の側部  １８：上部  １８ａ：接続部側の上部  １８ｂ：先端側の上部  １９：突起部  ２０：開口部  ２１：引っ掛け部  ２２、２２Ａ：接触部  ２３、２３Ａ：接触片  ２３ａ、２３Ａａ：接触面  ２４：端部  ２５：接続部  ２６：接続片  ２７：先端  ２８：電線  ２９、２９Ａ：ハウジング  ３０、３０Ａ：上面  ３１：上段面  ３２、３２Ａ：下段面  ３３、３３Ａ：壁面部  ３４、３４Ａ：設置部  ３５、３５Ａ：開放部  ３６、３６Ａ：案内部  ３７、３７Ａ：規制部  ３８、３８Ａ：嵌合突起  ３９：係止突起  ４０：開口  ４１：溝  ４２、４２Ａ：係止部  ４２ａ、４２Ａａ：枠体  ４２ｂ、４２Ａｂ：閉じられた部分  ４３、４３Ａ：底面  ４４、４４Ａ：前面  ４５、４５Ａ：嵌合孔  ４６：孔  ４７、４７Ａ：当接部  ４８：後面  ４９：挿入口  ５０：狭小部  ５１：貫通孔  ５２：一方の側面  ５３：他方の側面  ５４：コンタクト収容部  ５５：固定片  ５６：ロック機構  ５７：短絡部材  ５８、５９：平面部  ６０、６１：長手側面部  ６２、６３：短手側面部  Ｇ：隙間
【図１】
0006418646.tif 000002
【図２】
0006418646.tif 000003
【図３】
0006418646.tif 000004
【図４】
0006418646.tif 000005
【図５】
0006418646.tif 000006
【図６】
0006418646.tif 000007
【図７】
0006418646.tif 000008
【図８】
0006418646.tif 000009
【図９】
0006418646.tif 000010
【図１０】
0006418646.tif 000011
【図１１】
0006418646.tif 000012